(57)【要約】【課題】首曲り形にして固形剤を収納する。【解決手段】直線部分Ａ、湾曲部分Ｂを有するケース１１と、ケース１１内の受皿２１と、ねじ軸３２付きのつまみ３１とを組み合わせ、受皿２１に垂設する湾曲可能な連結板２３の下部のねじ筒２４にねじ軸３２を螺合させる。【選択図】図１
2005296316.tif 000002
【特許請求の範囲】
【請求項１】
直線部分の上部に円弧状の湾曲部分を連接する筒状のケースと、前記湾曲部分に流し込んで固化させる固形剤を受ける前記ケース内の受皿と、前記ケースの下端に回転自在に装着するねじ軸付きのつまみとを備えてなり、前記受皿には、湾曲可能な連結板を垂設し、前記ねじ軸は、前記連結板の下部のねじ筒に螺合して前記受皿を上下に駆動することを特徴とする固形剤の塗布容器。
【請求項２】
前記ケースは、断面円形として前記湾曲部分の湾曲方向に直交する側の内面にガイド溝を形成し、前記連結板の両側端縁は、前記ガイド溝に摺動自在に嵌合させることを特徴とする請求項１記載の固形剤の塗布容器。
【請求項３】
前記ケースは、断面楕円形とし、前記湾曲部分は、前記ケースの短軸方向に湾曲させることを特徴とする請求項１記載の固形剤の塗布容器。
【請求項４】
前記受皿の上面には、固形剤を固着させる固着片を突設することを特徴とする請求項１ないし請求項３のいずれか記載の固形剤の塗布容器。
【請求項５】
前記受皿は、前記ねじ筒付きの連結板とともに一体成形することを特徴とする請求項１ないし請求項４のいずれか記載の固形剤の塗布容器。
【発明の詳細な説明】
【技術分野】
【０００１】
この発明は、固形の消炎鎮痛剤などの固形剤を収納する固形剤の塗布容器に関する。
【背景技術】
【０００２】
消炎鎮痛剤の塗布容器は、上部を屈曲させ、いわゆる首曲り形とすることにより、塗布作業の便宜を図ることができる（特許文献１）。しかし、このような首曲り形の塗布容器は、液剤の場合にはよいとしても、固形剤を収納するには、本質的に不適切である。固形剤は、それ自体が屈曲しないため、塗布容器の首部分にしか収納することができず、収納容量が少なくなって実用に欠けるからである。
【０００３】
なお、固形剤を収納し、必要に応じて固形剤を繰り出して使用する容器として、周知の口紅用の容器や、糊材用の容器が提案されている（たとえば特許文献２）。ただし、これらの容器は、いずれも直線形であって、首曲り形ではない。
【特許文献１】特開昭５０−３８３９３号公報
【特許文献２】特公平８−５５０２号公報
【発明の開示】
【発明が解決しようとする課題】
【０００４】
そこで、この発明の目的は、かかる従来技術の実情に鑑み、湾曲部分を有する筒状のケースに対し、ねじ筒付きの湾曲可能な連結板を垂設する受皿を内装することによって、首曲り形の固形剤の塗布容器を提供することにある。
【課題を解決するための手段】
【０００５】
かかる目的を達成するためのこの発明の構成は、直線部分の上部に円弧状の湾曲部分を連接する筒状のケースと、湾曲部分に流し込んで固化させる固形剤を受けるケース内の受皿と、ケースの下端に回転自在に装着するねじ軸付きのつまみとを備えてなり、受皿には、湾曲可能な連結板を垂設し、ねじ軸は、連結板の下部のねじ筒に螺合して受皿を上下に駆動することをその要旨とする。
【０００６】
なお、ケースは、断面円形として湾曲部分の湾曲方向に直交する側の内面にガイド溝を形成し、連結板の両側端縁は、ガイド溝に摺動自在に嵌合させることができ、または、断面楕円形とし、湾曲部分は、ケースの短軸方向に湾曲させることができる。
【０００７】
また、受皿の上面には、固形剤を固着させる固着片を突設してもよく、受皿は、ねじ筒付きの連結板とともに一体成形してもよい。
【発明の効果】
【０００８】
かかる発明の構成によるときは、受皿は、直線部分と湾曲部分とを連接する首曲り形のケースに内装され、湾曲部分に流し込んで固化させる固形剤を受けることができる。ただし、受皿は、固形剤の原料を流し込む際、ねじ軸を介して湾曲部分の下端付近に位置させるものとし、全周に亘りケースの内面に摺接して、固形剤の原料に対するシールを形成するものとする。一方、固化した固形剤を使用するときは、つまみを回転させてねじ軸を回転させ、受皿を上方に駆動することにより、湾曲部分内の固形剤を湾曲部分の先端から突出させ、患部に塗布することができる。ねじ軸は、ケースの下部の直線部分に収容され、受皿と一体の連結板のねじ筒に螺合しており、連結板は、受皿の上昇に従って、湾曲部分に追従して湾曲するからである。なお、連結板には、ねじ筒上に突出するねじ軸を避けるために、適切な切欠きを設けるものとする。また、つまみを逆回転させれば、ねじ軸を介して受皿を下降させ、固形剤を湾曲部分に再収納することができる。
【０００９】
断面円形のケースは、内面のガイド溝に連結板の両側端縁を摺動自在に嵌合させることにより、ねじ軸を回転させても受皿が共回りするおそれがない。また、断面楕円形のケースは、内部の受皿を相対回転不能に拘束するから、格別な受皿の共回り防止手段を設ける必要がない。
【００１０】
受皿の上面に固形剤の固着片を設ければ、受皿を下降させて固形剤を湾曲部分に再収納する際に、固形剤が受皿から不用意に分離してしまうおそれがない。
【００１１】
受皿は、ねじ筒付きの連結板とともに、適切な可撓性を有するプラスチック材料により、容易に一体成形することができる。なお、プラスチック材料は、ケースの内面に対する受皿のシール性、連結板の可撓性などを考慮して、たとえば低密度ポリエチレンを使用することが好ましい。
【発明を実施するための最良の形態】
【００１２】
以下、図面を以って発明の実施の形態を説明する。
【００１３】
固形剤の塗布容器は、筒状のケース１１と、ケース１１内の受皿２１と、ケース１１の下端のつまみ３１とを備えてなる（図１）。ただし、図１（Ａ）、（Ｂ）は、それぞれ一部破断全体正面図、一部破断全体側面図である。
【００１４】
ケース１１は、断面円形であり、下部の直線部分Ａと、上部の円弧状の湾曲部分Ｂとを滑らかに連接して形成されている。ケース１１の上端には、雄ねじ１１ｂを介してねじ式のキャップ１２が着脱自在に付設されており、ケース１１の内面には、湾曲部分Ｂの湾曲方向に直交する側に、互いに対向する一対のガイド溝１１ａ、１１ａがケース１１の全長に亘って形成されている。ただし、図１（Ａ）、（Ｂ）には、それぞれ一方のガイド溝１１ａのみが図示されている。
【００１５】
受皿２１は、ケース１１内において、ケース１１の軸方向に上下動可能に収納されている。受皿２１の周縁部の上端部外周は、その全周に亘ってケース１１の内面に摺接し、ケース１１の内面との間に水密のシールを形成している。
【００１６】
受皿２１内には、相対向する一対の羽根状の固着片２２、２２が突設されている（図１、図２）。固着片２２、２２は、受皿２１の周方向に湾曲するとともに互いに背向するように湾曲し、上方に向けて滑らかに薄くなっている。なお、各固着片２２は、受皿２１の周方向に約１／４周の長さを有し、受皿２１の深さより低く形成されている。
【００１７】
受皿２１には、ねじ筒２４を下部に付設する連結板２３が垂設されている。連結板２３は、受皿２１の下に大きな上部開放の切欠き２３ａを有し、左右の上端は、受皿２１の底面から斜めの周縁部にかけて受皿２１の上端にまで連続している。なお、連結板２３の左右の両側端縁は、ケース１１の内面のガイド溝１１ａ、１１ａに摺動自在に嵌合している。また、ねじ筒２４は、連結板２３の下部の中央部において、受皿２１と同軸に上下方向に形成されている。受皿２１、固着片２２、２２、連結板２３、ねじ筒２４は、たとえば低密度ポリエチレンにより一体成形され、したがって、連結板２３は、ケース１１の湾曲部分Ｂに沿って湾曲可能である。なお、連結板２３の上端には、ケース１１側のガイド溝１１ａ、１１ａとの間に水密のシールを形成するために、受皿２１の両側径方向に突出するシール部２３ｂ、２３ｂが形成されている。
【００１８】
つまみ３１は、上下２段に形成されている。つまみ３１の下段の大径部は、ケース１１の外径とほぼ同径に形成され、外周には、滑り止め用のローレットが刻設されている。また、上段の小径部の外周上端には、周方向に突出する係合リブ３１ａが形成され、つまみ３１は、係合リブ３１ａがケース１１の下端部内面の係合リブ１１ｃを越えて係合溝１１ｄに嵌合することにより、ケース１１の下端に回転自在に装着されている。なお、つまみ３１の上面には、ねじ軸３２が立設されており、ねじ軸３２は、ねじ筒２４の雌ねじ２４ａに螺合している。なお、ねじ軸３２上の雄ねじは、２条ねじとなっており、そのねじ山は、ねじ軸３２の両側の平行２平面を介して切除されている（図１、図３）。ねじ軸３２は、ケース１１の直線部分Ａの上端付近にまで伸びている。
【００１９】
受皿２１は、つまみ３１を回転させてねじ軸３２を正逆に回転させることにより、ケース１１の湾曲部分Ｂ内を上下に移動させることができる。なお、受皿２１は、連結板２３、ねじ筒２４の下端がつまみ３１の上面に当接することにより下降限が規定され（図１）、このとき、受皿２１は、ケース１１の湾曲部分Ｂの下端付近に位置している。また、連結板２３は、受皿２１が湾曲部分Ｂ内を上昇するに従って、湾曲部分Ｂに沿って湾曲する。
【００２０】
そこで、受皿２１を下降限に置き、キャップ１２を外してケース１１の湾曲部分Ｂに固形剤の原料を流し込んで固化させると、湾曲部分Ｂ内の固形剤を受皿２１によって受けることができる。なお、固形剤の原料を流し込むとき、湾曲部分Ｂの上端は、ほぼ水平に保つものとする。
【００２１】
ケース１１内の固形剤を使用するときは、キャップ１２を外して受皿２１を湾曲部分Ｂ内に上昇させ、固形剤の先端を湾曲部分Ｂの先端から突出させる（図４の二点鎖線）。また、つまみ３１、ねじ軸３２を介して受皿２１を下降させると、固形剤を湾曲部分Ｂ内に再収納してキャップ１２を再装着することができる。なお、受皿２１内の固着片２２、２２は、固形剤の下端に埋設され、固形剤を受皿２１に固着する。そこで、固形剤は、湾曲部分Ｂ内に再収納するとき、受皿２１から分離するおそれがない。
【他の実施の形態】
【００２２】
ケース１１は、断面楕円形に形成し、湾曲部分Ｂは、ケース１１の短軸方向に湾曲させることができる（図５）。ただし、図５（Ａ）、（Ｂ）は、それぞれ図１（Ａ）、（Ｂ）相当図であり、図５（Ｃ）は、同図（Ａ）の底面図である。
【００２３】
図５において、受皿２１は、周縁部の上下両端部の外周が全周に亘ってケース１１の内面に摺接し、上下２重のシールを形成している。また、キャップ１２は、ねじ式に代えて、単純な嵌込み式となっている。一方、つまみ３１は、ケース１１の短軸相当の外径となっており、ケース１１の下端に嵌め込むスペーサ１３に対し、係合リブ３１ａをスペーサ１３側の係合リブ１３ａに係合させることにより、ケース１１の下端に回転自在に装着されている。ただし、つまみ３１は、全体がケース１１の下端部に収納され、ケース１１の短軸側に形成する切欠き１１ｅ、１１ｅを介して外周の一部がケース１１の外部に露出している。また、スペーサ１３は、外周がケース１１の内面の楕円形に適合し、内周がつまみ３１の上段の小径部に適合する円形に形成されている。
【００２４】
なお、ケース１１の断面形状は、内部の受皿２１の共回りを防止するために、楕円形に代えて、長円形、たまご形、三角形以上の任意の多角形などにしてもよい。
【００２５】
以上の説明において、つまみ３１は、上段の小径部に対し、ねじ軸３２を立設するとともにねじ筒２４を当接させる凹部３１ｂを介し、対称形の扇形部３１ｃ、３１ｃを形成することができる（図６）。ただし、図６（Ｂ）は、つまみ３１、ねじ軸３２の要部拡大斜視図であり、同図（Ａ）は、ケース１１との組合せ状態を示す拡大断面図である。扇形部３１ｃ、３１ｃの外周には、それぞれケース１１の下端部内面の係合溝１１ｄに係合させる係合リブ３１ａが形成されている。また、連結板２３の下端は、扇形部３１ｃ、３１ｃの上面近くに留め、ねじ筒２４は、凹部３１ｂに当接するように、連結板２３の下端より下向きに突出している。ねじ筒２４による受皿２１の下降限を低くすることができるから、その分だけケース１１の直線部分Ａの長さを短くすることができる。
【００２６】
なお、図６において、凹部３１ｂは、つまみ３１の上段の小径部の上面中央部に形成する円形の有底穴とし、有底穴の底部下面をつまみ３１の大径部の下端相当にまで下げてもよい。ただし、有底穴の底面には、ねじ軸３２を上向きに立設し、有底穴は、ねじ筒２４を収納可能な内径に形成するものとする。
【００２７】
また、受皿２１の中央部には、ねじ軸３２の上端部を収納する下向きの凹部２１ａを形成してもよい（図７）。ただし、図７（Ａ）、（Ｂ）は、それぞれ要部拡大断面図、要部斜視図である。なお、凹部２１ａは、成形の便宜のために、つまみ３１の凹部３１ｂと同様に、受皿２１の底部を一対の扇形部２１ｂ、２１ｂに区分して形成することが好ましい。図６と同様に、受皿２１の下降限を低くして直線部分Ａの長さを短くすることができ、ねじ軸３２に対する受皿２１の傾きを制限することもない。
【図面の簡単な説明】
【００２８】
【図１】全体構成説明図
【図２】要部拡大斜視図
【図３】図１（Ａ）のＸ−Ｘ線矢視断面図
【図４】使用状態説明図
【図５】他の実施の形態を示す全体構成説明図
【図６】他の実施の形態を示す要部拡大説明図（１）
【図７】他の実施の形態を示す要部拡大説明図（２）
【符号の説明】
【００２９】
Ａ…直線部分
Ｂ…湾曲部分
１１…ケース
１１ａ…ガイド溝
２１…受皿
２２…固着片
２３…連結板
２４…ねじ筒
３１…つまみ
３２…ねじ軸
特許出願人          伸晃化学株式会社
代理人  弁理士        松  田  忠  秋
【図１】
2005296316.tif 000003
【図２】
2005296316.tif 000004
【図３】
2005296316.tif 000005
【図４】
2005296316.tif 000006
【図５】
2005296316.tif 000007
【図６】
2005296316.tif 000008
【図７】
2005296316.tif 000009